(57)【特許請求の範囲】
【請求項１】
ろ過部材を通過した雨水を地下へ浸透させる槽を備え、所定の排水設備に向かって流れる雨水のひとつの流路に分岐部が複数設けられることで、該雨水が前記槽に導入可能とされている雨水配管構造であって、
前記雨水の流路に第１分岐部が設けられ、該第１分岐部は雨水が流入する第１流入口と、該雨水を前記槽内に導入する槽導入口と、該雨水を前記排水設備に向けて下流に流出させる流出口と、を備え、更に、該第１流入口と該槽との間にろ過部材が配設され、
また、前記第１分岐部の流出口と前記排水設備との間の流路には、第２分岐部が単数、又は複数設けられ、該第２分岐部は該第１分岐部を経由した雨水が流入する第２流入口と、該雨水を前記槽内に導入する槽導入口と、該雨水を前記排水設備に向けて下流に流出させる流出口と、を備え、更に、該第２流入口と該槽との間にろ過部材が配設され、また更に、最も下流側に位置する第２分岐部の流出口が前記排水設備に繋がる排水口とされ、
前記第１分岐部及び前記第２分岐部の各槽導入口が、単一の同じ槽に接続されており、更に、該槽は、雨水を地下に浸透させる浸透槽であり、
前記第１分岐部及び前記第２分岐部において各流出口の管底と各槽導入口の管底とが互いに同じ高さ位置となるように高さ設定され、かつ、前記流出口及び前記槽導入口の管底の高さが前記排出口の管底の高さより低くなるように設定されていることを特徴とする雨水配管構造。
【請求項２】
前記第１分岐部及び前記第２分岐部は、それぞれ単体のますで構成されている請求項１に記載の雨水配管構造。
【発明の詳細な説明】
【技術分野】
【０００１】
本発明は、雨水をろ過部材を介して貯留槽に貯留したり、同様にろ過部材を介して浸透槽から地下に浸透させたりする雨水配管構造に関するものである。
【背景技術】
【０００２】
従来、雨水貯留・浸透システムは、できるだけ綺麗な状態の雨水を貯留して再利用するため、又は浸透槽の浸透孔の目詰まりを防ぐため、あるいは槽にたまったごみ等の除去を行うといったメンテナンスの頻度を減らすため、フィルター等のろ過部材を用いて雨水に混入するごみ等を除去していることが一般的である。例えば、雨水の流入管にごみ回収フィルターが取り付けられて、ごみを除去した雨水が槽内に送水される構成が知られている（特許文献１参照）。
【先行技術文献】
【特許文献】
【０００３】
【特許文献１】特開２００８−２０８５２８号公報
【発明の概要】
【発明が解決しようとする課題】
【０００４】
しかしながら、上記従来の雨水貯留・浸透システムにおいては、次のような問題点があった。即ち、該システムを雨水貯留システムとして運用する場合、雨水の浄化レベルを高めるために目の細かいろ過部材を用いたり、粒径の細かなろ過砂や砂利などの微粒子をろ過部材として採用したろ過装置を用いたりすると、通水性能が低下してろ過に時間がかかってしまい、大部分の雨水はろ過装置を通過できずに側溝などの排水設備に流出してしまうため、緊急災害時の生活用水として利用可能な量の貯留水を得るためにはかなり長期間の降水を期待しなければならない。一方、これを解消すべく目の荒いろ過部材を用いたときには、貯留された水の浄化が十分でなく、植物への散水程度の用途にしか用いることができない。
【０００５】
また、前記システムを雨水浸透システムとして運用する場合、目詰まりを防ぐために目の細かいろ過部材を用いると、通水性能が低下するために浸透システムとしての浸透性能が十分に発揮されない。一方、目の荒いろ過部材を用いると、ろ過の精度が低下するために浸透槽の目詰まりが起きやすくなり、排水設備に対する流出抑制効果が低下してしまう。
【０００６】
そこで、本発明は、ろ過部材のろ過性能を高めても、全体として高い通水性能を確保することができる雨水配管構造を提供することを目的とする。
【課題を解決するための手段】
【０００７】
本発明は、ろ過部材を通過した雨水を地下へ浸透させる槽を備え、所定の排水設備に向かって流れる雨水のひとつの流路に分岐部が複数設けられることで、該雨水が前記槽に導入可能とされている雨水配管構造であって、前記雨水の流路に第１分岐部が設けられ、該第１分岐部は雨水が流入する第１流入口と、該雨水を前記槽内に導入する槽導入口と、該雨水を前記排水設備に向けて下流に流出させる流出口と、を備え、更に、該第１流入口と該槽との間にろ過部材が配設され、また、前記第１分岐部の流出口と前記排水設備との間の流路には、第２分岐部が単数、又は複数設けられ、該第２分岐部は該第１分岐部を経由した雨水が流入する第２流入口と、該雨水を前記槽内に導入する槽導入口と、該雨水を前記排水設備に向けて下流に流出させる流出口と、を備え、更に、該第２流入口と該槽との間にろ過部材が配設され、また更に、最も下流側に位置する第２分岐部の流出口が前記排水設備に繋がる排水口とされ、前記第１分岐部及び前記第２分岐部の各槽導入口が、単一の同じ槽に接続されており、更に、該槽は、雨水を地下に浸透させる浸透槽であり、前記第１分岐部及び前記第２分岐部において各流出口の管底と各槽導入口の管底とが互いに同じ高さ位置となるように高さ設定され、かつ、前記流出口及び前記槽導入口の管底の高さが前記排出口の管底の高さより低くなるように設定されていることを特徴とする雨水配管構造である。
【０００８】
このように本発明は、一つの雨水配管構造において複数の槽導入口が設けられていることを大きな特徴としている。すなわち、各槽導入口を介して雨水が槽内へ導入される際に、個々のろ過部材によって各槽導入口における通水性能が極端に低下して雨水が流れにくくなったとしても、全体としては槽への雨水導入量が十分に確保される。したがって、水の浄化性能を高めるためにろ過性能の高いろ過部材を用いても、全体として槽への通水性能を十分に確保でき、従来に比して十分な量の雨水を処理することが可能となる。さらに、かかる構成にあっては、浸透槽の目詰まりを防止すべく、個々のろ過部材のろ過性能を高めて通水性能が低くなった場合であっても、該ろ過部材を設けた槽導入口が複数あるために、システム全体の浸透槽への雨水導入量を十分に確保することができる。また浸透槽への雨水の導入が複数箇所から行なわれるために、該浸透槽内において雨水が一か所に集中しにくく、該浸透槽の浸透性能をより広い範囲で適切かつ円滑に発揮させることができる。
【０００９】
前記第1分岐部及び前記第２分岐部は、それぞれ単体のますで構成されていることが望ましい。
【００１０】
かかる構成とすることにより、各分岐部の省スペース化が可能となり、全体として配置に無駄のない雨水配管構造とすることができる。
【発明の効果】
【００１７】
本発明の雨水配管構造は、ろ過部材のろ過性能を高めても、全体として高い通水性能を確保することができる優れた効果がある。したがって、槽が浸透槽の場合、槽への雨水の円滑な流入を妨げることなく、浸透槽の目詰まりを効果的に防止し、排水設備に対する流出抑制効果を適切に確保することが可能となる。
【図面の簡単な説明】
【００１８】
【図１】参考例１にかかる雨水配管構造の図であり、(ａ）は平面図、（ｂ）は（ａ）のＸ−Ｘ断面図。
【図２】参考例２にかかる雨水配管構造の図であり、（ａ）は平面図、（ｂ）は（ａ）のＹ−Ｙ断面図。
【図３】実施例にかかる雨水配管構造の雨水の流れを側方から示した説明図。
【発明を実施するための形態】
【００１９】
以下、本発明の雨水配管構造を具体化した実施例を詳細に説明する。参考例１の雨水配管構造２０Ａは、雨水貯留システムとして利用される。また、参考例２の雨水配管構造２０Ｂは、雨水浸透システムとして利用される。なお、本発明は、下記に示す実施例に限定されることはなく、適宜設計変更が可能である。
【００２０】
〔参考例１〕
図１ａに示すように、雨水配管構造２０Ａは、互いに独立した３つの貯留槽３０Ａ〜３０Ｃと、排水設備としての側溝１６と、雨とい等に接続された流路４０に設けられた第１分岐部１と、該第１分岐部１の下流側に配される２つの第２分岐部２Ａ，２Ｂと、を備えている。
【００２１】
また、図１ａ，ｂに示すように、前記第１分岐部１、及び前記第２分岐部２Ａ，２Ｂは、落差調整排水ます４と、ろ過部材としてのフィルター６を備えたフィルター排水ます５とをそれぞれ有し、該落差調整排水ます４と該フィルター排水ます５とが直管７によって各々接続されている。
【００２２】
（貯留槽）
前記貯留槽３０Ａ〜３０Ｃは、各々槽本体３１を備えている。また、該槽本体３１の上面には配管接続用の開口８が設けられており、該開口８を介して槽本体３１内に雨水が流入する。また、該槽本体３１の上面には、貯留された雨水を取り出したり、槽内を点検したりするための点検口９が設けられている。なお、該貯留槽３０Ａ〜３０Ｃは、コンクリート製や、あるいはプラスチック製等でもよく、公知のものが好適に用いられる。
【００２３】
（第１分岐部）
前記第１分岐部１の落差調整排水ます４には、前記流路４０が接続された第１流入口１０と、前記フィルター排水ます５に前記直管７によって接続される槽側流出口１１と、該雨水を下流へ流出させる流出口１２と、が設けられている。
【００２４】
また、前記第１分岐部１のフィルター排水ます５には、前記落差調整排水ます４の槽側流出口１１と前記直管７によって接続される流入口１３と、前記貯留槽３０Ａに繋がる槽導入口１４と、が設けられている。そして、該槽導入口１４には、ろ過部材としてのフィルター６が装着されている。
【００２５】
なお、前記第１分岐部１において、前記槽導入口１４の下端が前記流出口１２の下端より低い位置に設定されていることで、該槽導入口１４に接続された位置における配管の管底が、該流出口１２に接続された位置における配管の管底より低い位置に配置されている。
【００２６】
（第２分岐部）
前記第２分岐部２Ａの落差調整排水ます４は、前記第１分岐部１の落差調整排水ます４の下流側に配置されている。すなわち、該第２分岐部２Ａの落差調整排水ます４は、前記第１分岐部１の落差調整排水ます４の流出口１２に繋がる第２流入口１５と、フィルター排水ます５に直管７によって接続される槽側流出口１１と、該雨水を下流へ流出させる流出口１２と、が設けられている。
【００２７】
また、前記第２分岐部２Ａのフィルター排水ます５には、前記落差調整排水ます４の槽側流出口１１と前記直管７によって接続される流入口１３と、前記貯留槽３０Ｂに繋がる槽導入口１４と、が設けられている。そして、該槽導入口１４には、ろ過部材としてのフィルター６が装着されている。
【００２８】
更に、前記第２分岐部２Ａの下流側には、２つ目の第２分岐部２Ｂが直列接続されて配置されている。該第２分岐部２Ｂの構成は、１つ目の第２分岐部２Ａとほぼ同様である。ただし、該第２分岐部２Ｂは、最も下流側に位置しており、その流出口１２は側溝１６に繋がる排出口１７とされている。
【００２９】
なお、前記第２分岐部２Ａ，２Ｂにおいて、前記槽導入口１４の下端が前記流出口１２の下端より低い位置に設定されていることで、該槽導入口１４に接続された位置における配管の管底が、該流出口１２に接続された位置における配管の管底より低い位置に配置されている。
【００３０】
これまでに述べた前記第１分岐部１、第２分岐部２Ａ，２Ｂに用いられる落差調整排水ます４、フィルター排水ます５、及び直管７等は、公知のものが好適に用いられる。また、ろ過部材としてのフィルター６は、金網や繊維製のフィルター等でもよく、特に限定されない。また、その使用目的に応じてフィルター６の孔径等が適宜決定される。
【００３１】
（雨水の流れ）
次に、上記雨水配管構造２０Ａの雨水の流れについて説明する。なお、図１中の矢印は雨水の流動方向を示している。
【００３２】
前記流路４０から第１分岐部１に流入する雨水は、まず、該第１分岐部１の落差調整排水ます４の流入口１０を介して該落差調整排水ます４内に流入する。そうすると、該落差調整排水ます４内を落下した雨水は、優先的にフィルター排水ます５に導かれる。そして、該フィルター排水ます５内に流入した雨水は、フィルター６を通過した後、槽導入口１４から前記貯留槽３０Ａに流出する。
【００３３】
そして、前記貯留槽３０Ａが満水になったり、フィルター６のろ過能力を超える雨水の流入があったりした場合には、雨水は該第１分岐部１の落差調整排水ます４の流出口１２から前記第２分岐部２Ａの第２流入口１５へ導かれる。
【００３４】
前記第２分岐部２Ａにおいても同様に、前記落差調整排水ます４の第２流入口１５から流入した雨水は、まず該第２分岐部２Ａのフィルター排水ます５に導かれ、前記フィルター６を介して前記貯留槽３０Ｂに導入される。更に、該貯留槽３０Ｂが満水になったり、フィルター６のろ過能力を超える雨水の流入があったりした場合には、次に、雨水は更に下流側に配された２つ目の前記第２分岐部２Ｂの第２流入口１５へ導かれる。
【００３５】
更に、前記第２分岐部２Ｂにおいても同様に、前記落差調整排水ます４の第２流入口１５から流入した雨水は、フィルター排水ます５のフィルター６を介して前記貯留槽３０Ｃに導入される。そして、該貯留槽３０Ｃが満水になったり、フィルター６のろ過能力を超える雨水の流入があったりした場合には、該雨水は該第２分岐部２Ｂの落差調整排水ます４の流出口１２、すなわち排出口１７から側溝１６へ排出される。
【００３６】
このように、雨水配管構造２０Ａは、一つの雨水配管構造２０Ａに対して複数の槽導入口１４が設けられているため、各槽導入口１４に取り付けられたフィルター６によって各槽導入口１４における通水性能が極端に低下したとしても、隣接する他の貯留槽３０Ａ〜３０Ｃを利用することにより、全体としては貯留槽３０Ａ〜３０Ｃへの雨水導入量が十分に確保される。したがって、水の浄化性能を高めるために目の細かいフィルター６を用いても、全体として貯留槽３０Ａ〜３０Ｃへの通水性能を十分に確保できる。
【００３７】
また、雨水配管構造２０Ａは、１つ目の貯留槽３０Ａに雨水を優先的に導入する構成としている。これは、一つの巨大な貯留槽に雨水を貯留していくよりも、それよりも小さい適正サイズの貯留槽を複数準備して各槽に順番に雨水を満たしていく方が、たとえ少量の降雨量であっても貯留した雨水を利用しやすいためである。
【００３８】
これまで述べた構成に代えて、各槽導入口１４ごとにフィルター６の種類を互いに異なるものとし、各貯留槽３０Ａ〜３０Ｃごとに異なる用途の雨水を貯留するようにしてもよい。例えば、貯留槽３０Ａに対応する槽導入口１４に目の細かいフィルター６を適用して、緊急災害時の生活用水を貯留し、貯留槽３０Ｂに対応する槽導入口１４に相対的に目の粗いフィルター６を適用して、植物への散水用水を貯留するようにしてもよい。
【００３９】
また、これまで述べた構成は、各分岐部１，２Ａ，２Ｂごとに貯留槽３０Ａ〜３０Ｃが設けられているが、これに代えて、各分岐部１，２Ａ，２Ｂが、単一の貯留槽３０Ａに接続されているようにしても構わない。また、例えば第１分岐部１に対して貯留槽３０Ａを接続し、第２分岐部２Ａ，２Ｂに対して貯留槽３０Ｂを一つ接続する、といった構成としても構わない。
【００４０】
〔参考例２〕
以下、図２に従って、雨水配管構造２０Ｂを説明する。なお、参考例１と共通する部分については説明を簡略又は省略し、また図中では同じ符号を付すこととする。
【００４１】
雨水配管構造２０Ｂは、単一の浸透槽３０Ｄを備えている。該浸透槽３０Ｄは、砕石を利用したものや樹脂製のもの等の公知技術を好適に用いることができる。
【００４２】
前記浸透槽３０Ｄには、第１分岐部１における槽導入口１４、第２分岐部２Ａ，２Ｂにおける槽導入口１４，１４を介して雨水が導入される。また、各分岐部１，２Ａ，２Ｂにおいて、該槽導入口１４の下端が流出口１２の下端より低い位置に設定されて、該槽導入口１４に接続された位置における配管の管底が、該流出口１２に接続された位置における配管の管底より低い位置に配置されている。
【００４３】
上記構成において、前記浸透槽３０Ｄの目詰まりをできるだけ防止するために、前記フィルター６のろ過性能を高いものとすると、通水性能が低下して第１分岐部１の槽導入口１４のみでは円滑に浸透槽３０Ｄ内に導入できない場合がある。しかし、該浸透槽３０Ｄには、フィルター６が取り付けられた槽導入口１４が複数設けられているため、全体としては浸透槽３０Ｄへの雨水導入量が十分に確保でき、通水性能を十分に確保することができる。
【００４４】
また、浸透槽３０Ｄへの雨水の導入が複数箇所から行なわれるため、該浸透槽３０Ｄ内において雨水が一か所に集中しにくく、該浸透槽３０Ｄの浸透性能をより広い範囲で適切かつ円滑に発揮させることができる。また、雨水が優先的に浸透槽３０Ｄへ流入するため、側溝１６へ雨水が過剰に流出してしまうことを防ぐことができ、側溝１６に対する流出抑制効果が適切に確保される。
【００４５】
〔その他〕
本発明は、上記の参考例１，２に限定されることはなく、適宜設計変更可能である。例えば、第１分岐部１、及び第２分岐部２Ａ，２Ｂを、互いに連結された落差調整排水ます４とフィルター排水ます５とで構成するのではなく、落差調整排水ますにフィルター機能を付した単体品で構成するようにしてもよい。かかる構成とすることにより、各分岐部１，２Ａ，２Ｂの省スペース化が可能となり、全体として雨水配管構造２０Ａ，２０Ｂが無駄のない配置となる。
【００４６】
前記フィルター６は、雨水配管構造２０Ａ，２０Ｂの機能劣化を防止すべく、交換可能な構造とすることが望ましい。また、ろ過部材として、スクリーンフィルター等を用いても構わない。
【００４７】
第２分岐部２Ａ，２Ｂは、２つに限らず、３つ以上配置されてもよい。また逆に、第１分岐部１の下流に１つだけ配置されていてもよい。
【００４８】
また、浸透槽３０Ｄを備えた雨水配管構造２０Ｂにおいて、図３ａに示すように、各分岐部１，２Ａ，２Ｂにおいて、前記流出口１２の配管接続口における配管の管底を同一高さとし、かつ、第１分岐部１の第１流入口１０と前記排出口１７となる流出口１２をこれらよりも高い位置に設定するようにしてもよい。かかる構成とすることにより、流路４０や側溝１６に繋がる配管よりも一段下がった配管部分に、一定の雨水量となるまで雨水を貯めることができるため、一時的に雨水配管構造２０Ｂの貯留量を増やして雨水を側溝１６に流さないようにすることができる。さらに、図３ｂに示すように、槽側流出口１１と流出口１２と流入口１３と槽導入口１４における、それぞれの配管の管底が互いに同じ高さ位置となるように高さ設定されているようにしてもよい。かかる構成とすることにより、各分岐部１，２Ａ，２Ｂの槽導入口１４へほぼ均等に雨水を分流させることができる。
【符号の説明】
【００４９】
１              第１分岐部
２Ａ，２Ｂ      第２分岐部
６              フィルター（ろ過部材）
１０            第１流入口
１２            流出口
１４            槽導入口
１５            第２流入口
１６            側溝（排水設備）
１７            排出口
２０Ａ，２０Ｂ  雨水配管構造
３０Ａ〜３０Ｃ  貯留槽（槽）
３０Ｄ          浸透槽（槽）
４０            流路
【図１】
0005770609.tif 000002
【図２】
0005770609.tif 000003
【図３】
0005770609.tif 000004